(57)【特許請求の範囲】
【請求項１】
平ベルトの蛇行を制御する蛇行制御プーリの側面に取り付けられて該蛇行制御プーリを正方向にのみ回転可能にする蛇行制御プーリ用ワンウェイクラッチであって、
上記蛇行制御プーリの側面に取り付けられるガイドプレートと、
上記ガイドプレートに設けられ、上記蛇行制御プーリを回転可能に支持するプーリ軸に対する逆転を阻止する逆転阻止部材と、
上記逆転阻止部材を収容し、該逆転阻止部材の動きを上記蛇行制御プーリの逆転を阻止する逆転阻止位置と、該蛇行制御プーリの正転を許容する正転許容位置との間にガイドするガイド溝と、
上記ガイド溝を覆うカバープレートとを備え、
上記ガイド溝がカバープレートで覆われた状態で、上記蛇行制御プーリの側面に締結固定されている
ことを特徴とする蛇行制御プーリ用ワンウェイクラッチ。
【請求項２】
請求項１に記載の蛇行制御プーリ用ワンウェイクラッチにおいて、
上記カバープレートは、外側カバープレート及び内側カバープレートよりなり、
上記ガイドプレートを外側カバープレート及び内側カバープレートで挟み込んだ状態で、上記蛇行制御プーリの側面に締結固定されるように構成されている
ことを特徴とする蛇行制御プーリ用ワンウェイクラッチ。
【請求項３】
請求項１又は２に記載の蛇行制御プーリ用ワンウェイクラッチにおいて、
上記ガイド溝において、上記正転許容位置が上記プーリ軸から離れる方向に配置され、上記逆転阻止位置が該プーリ軸に近付く方向に配置されており、
上記逆転阻止位置において、上記逆転阻止部材が上記プーリ軸の外周面と、上記ガイド溝の内周面との間に噛み込まれて上記蛇行制御プーリの逆転を阻止するように構成されている
ことを特徴とする蛇行制御プーリ用ワンウェイクラッチ。
【請求項４】
請求項３に記載の蛇行制御プーリ用ワンウェイクラッチにおいて、
上記逆転阻止部材は、上記蛇行制御プーリが正転するときには該蛇行制御プーリの回転により上記正転許容位置側へ移動し、上記蛇行制御プーリが逆転しようとするときには、上記逆転阻止位置で該蛇行制御プーリの逆転を阻止するように構成されている
ことを特徴とする蛇行制御プーリ用ワンウェイクラッチ。
【請求項５】
請求項１から４のいずれか１つに記載の蛇行制御プーリ用ワンウェイクラッチにおいて、
上記逆転阻止部材は、磁性体を備え、
上記ガイドプレート及び上記ガイド溝は、磁性体ではなく、
上記ガイド溝の逆転阻止位置側の端部には、上記逆転阻止部材を逆転阻止位置へ吸引する磁石を収容する磁石収容部が上記ガイド溝に連続するように形成され、該磁石収容部と該ガイド溝との間には、上記磁性体が該逆転阻止部材と接触しないように突起が設けられている
ことを特徴とする蛇行制御プーリ用ワンウェイクラッチ。
【請求項６】
請求項５に記載の蛇行制御プーリ用ワンウェイクラッチにおいて、
上記逆転阻止部材は、円板状で、上記ガイド溝内で回転して上記正転許容位置と上記逆転阻止位置との間を移動可能で、正転時には遠心力で上記プーリ軸と非接触となるように構成されている
ことを特徴とする蛇行制御プーリ用ワンウェイクラッチ。
【請求項７】
請求項１から６のいずれか１つに記載の蛇行制御プーリ用ワンウェイクラッチにおいて、
上記ガイド溝が、上記カバープレートで挟み込まれた状態でユニット構成可能とするスプリングピンを備えている
ことを特徴とする蛇行制御プーリ用ワンウェイクラッチ。
【請求項８】
正転において平ベルトの走行位置を自律制御する蛇行制御プーリの側面に取り付けられて該蛇行制御プーリを正方向にのみ回転可能にする
ことを特徴とする蛇行制御プーリ用ワンウェイクラッチ。
【請求項９】
請求項１から８のいずれか１つに記載の蛇行制御プーリ用ワンウェイクラッチが固定された
ことを特徴とする蛇行制御プーリ。
【請求項１０】
請求項９の蛇行制御プーリと、
上記蛇行制御プーリを回転可能に支持するプーリ軸と、
上記蛇行制御プーリに掛けられる平ベルトとを備えている
ことを特徴とする平ベルト伝動システム。
【請求項１１】
請求項１０の平ベルト伝動システムにおいて、
上記蛇行制御プーリは、上記平ベルトの蛇行を制御する蛇行制御プーリであり、
上記蛇行制御プーリが、上記平ベルトの逆方向への駆動を阻止するように構成されている
ことを特徴とする平ベルト伝動システム。
【請求項１２】
請求項１１の平ベルト伝動システムにおいて、
回転変動のない送風装置に用いられる
ことを特徴とする平ベルト伝動システム。
【請求項１３】
請求項１０から１２のいずれか１つに記載の平ベルト伝動システムにおいて、
上記平ベルトが所定の張力以上の力で逆方向に駆動されるときには、該平ベルトがスリップするように構成されている
ことを特徴とする平ベルト伝動システム。
【発明の詳細な説明】
【技術分野】
【０００１】
本発明は、蛇行防止プーリに取り付けて蛇行防止プーリを正方向の回転（以下、正転という）のみ可能にする蛇行防止プーリ用ワンウェイクラッチ、それを備えた蛇行防止プーリ、及びそれを備えた平ベルト伝動システムに関する。
【背景技術】
【０００２】
従来より、平ベルトを用いた伝動システムにおいては、平ベルトが走行中に蛇行したり、プーリの片側に寄る片寄り走行したりすることがある。これは、平ベルトが、他の伝動ベルトに比べて、プーリ軸の正規位置からのずれや、軸荷重の変化によるプーリ軸のたわみ、プーリの揺れなどに敏感なためである。このような蛇行及び片寄り走行を防ぐために、平ベルトの蛇行を防止する平ベルト蛇行制御装置が知られている（例えば、特許文献１参照）。
【先行技術文献】
【特許文献】
【０００３】
【特許文献１】特開２００５-１２１２０５号公報
【発明の概要】
【発明が解決しようとする課題】
【０００４】
ところで、送風機などのファンを有する平ベルト伝動システムでは、風などでファンが逆方向に回転（以下、逆転という）することがある。このような場合、上述したように、平ベルトはプーリからずれやすく、逆転すると平ベルトが蛇行する方向に動き、平ベルトがプーリのフランジに接触し、ベルト側面を損傷する。また、場合によっては、平ベルトがフランジに乗り上げてプーリから脱落してしまうおそれがある。
【０００５】
従来より、プーリの内部にベアリングなどと共にワンウェイクラッチを内蔵するものは知られているが、特に回転変動のあるものでは、その回転変動にも対応できるように、ワンウェイクラッチ自体が大がかりなものとなる傾向にあり、取付も容易ではない、という問題もある。
【０００６】
また例えば図７Ａ及び図７Ｂに示す従来の平ベルト伝動システム１０１のように、従動プーリ１０２の側面に外付ワンウェイクラッチ１０５を取り付け、それをアイボルト１０７ａを用いてワイヤー１０７により、固定部１０８に固定している。なお、図７Ａ〜図８Ｂにおいて、正方向を矢印Ｆで示し、逆方向を矢印Ｒで示す。そして、正回転のときには、図８Ａに示すように、玉１０５ａが従動プーリ１０２の回転を阻害しない。一方、逆回転のときには、図８Ｂに示すように、玉１０５ａが楔部１０５ｂに噛み込んで外付ワンウェイクラッチ１０５が従動プーリ１０２の回転軸１０２ａと回転一体となる。そのことで、図７Ｂに示すように、ワイヤー１０７が引っ張られて平ベルト１０６の逆方向Ｒへの駆動が阻止されるようになる。このような構成では、ワイヤー１０７をかけるスペースを必要とされ、部品点数が増えて質量も増える。また、アイボルト１０７ａを固定する部分はある程度の強度を必要とされる。
【０００７】
ワイヤー１０７は、図７Ａ及び図８Ａに示す正転時でも外付ワンウェイクラッチ１０５の摺動抵抗により、多少回転方向に引っ張られる。外付ワンウェイクラッチ１０５の中の玉１０５ａは、常にバネ１０５ｃに押されているため、内部部品に接触しており、摺動抵抗が発生する。これは伝動ロスの原因にもなる。
【０００８】
一方、図７Ｂ及び図８Ｂに示すように、逆転時は外付ワンウェイクラッチ１０５が作動し、ワイヤー１０７が張り、従動プーリ１０２の回転を止める。しかし、ワイヤー１０７は、正逆の変化時に弛みと張りとが変化するので、ワイヤー１０７がばたついて周りの機器を損傷するおそれがある。また、逆転が止まる瞬間には、ワイヤー１０７が従動プーリ１０２の回転の慣性モーメントにより、衝撃荷重を受ける。これは、ワイヤー１０７の寿命も低下させ、さらに、衝撃音も発生し、騒音となる弊害も発生する。
【０００９】
それを避けるために、ワイヤー１０７を弛まないように張る方法も考えられる。しかし、弛みｆの式ｆ＝ｗＬ２／８Ｈ（Ｈ：水平張力ｋｇｆ、ｗ：単位長さ質量ｋｇ／ｍ、ｆ：弛みｍ、Ｌ：水平距離ｍ）の計算式からわかるように、ｆが０の場合、水平張力Ｈが無限大となるため、この状態でワイヤー１０７を弛まないようにすることは不可能である。このため、このような外付ワンウェイクラッチ１０５により発生する弊害は避けられない。
【００１０】
本発明は、かかる点に鑑みてなされたものであり、その目的とするところは、簡単な構造で確実に蛇行防止プーリの逆転を阻止できるようにすることにある。
【課題を解決するための手段】
【００１１】
上記の目的を達成するために、この発明では、平ベルトの蛇行を制御する蛇行防止プーリの側面に蛇行防止プーリ用ワンウェイクラッチを取り付けて蛇行防止プーリの逆転を阻止できるようにした。
【００１２】
具体的には、第１の発明の平ベルトの蛇行を制御する蛇行防止プーリ用ワンウェイクラッチは、平ベルトの蛇行を制御する蛇行制御プーリの側面に取り付けられて該蛇行制御プーリを正方向にのみ回転可能にする蛇行制御プーリ用ワンウェイクラッチを対象とする。
【００１３】
そして、上記蛇行制御プーリ用ワンウェイクラッチは、
上記蛇行制御プーリの側面に取り付けられるガイドプレートと、
上記ガイドプレートに設けられ、上記蛇行制御プーリを回転可能に支持するプーリ軸に対する逆転を阻止する逆転阻止部材と、
上記逆転阻止部材を収容し、該逆転阻止部材の動きを上記蛇行制御プーリの逆転を阻止する逆転阻止位置と、該蛇行制御プーリの正転を許容する正転許容位置との間にガイドするガイド溝と、
上記ガイド溝を覆うカバープレートとを備え、
上記ガイド溝がカバープレートで覆われた状態で、上記蛇行制御プーリの側面に締結固定されている。
【００１４】
上記の構成によると、蛇行防止プーリの側面に取り付けるだけで、その蛇行防止プーリの逆方向への回転を阻止することができる。蛇行防止プーリの側面に取り付ければよいだけなので、取付が容易で構造も簡単である上に、場合によっては既存の蛇行防止プーリに取り付けることもできる。また、省スペースで、部品点数が少なく、軽量な構成とすることができる。そして、逆転阻止部材がガイド溝内で逆転阻止位置と正転許容位置との間で移動し、逆転阻止位置にあるときには蛇行防止プーリの逆転を阻止し、正転許容位置にあるときには蛇行防止プーリの正転を許容する。ガイドプレートと逆転阻止部材とを蛇行防止プーリに取り付ければよいので、取付が容易で構造も簡単である上に、場合によっては既存の蛇行防止プーリに取り付けることもできる。
【００１５】
第２の発明では、第１の発明において、
上記カバープレートは、外側カバープレート及び内側カバープレートよりなり、
上記ガイドプレートを外側カバープレート及び内側カバープレートで挟み込んだ状態で、上記蛇行制御プーリの側面に締結固定されるように構成されている。
【００１６】
上記の構成によると、ユニット構成された蛇行防止プーリ用ワンウェイクラッチを、例えば、固定用ボルトを蛇行制御プーリに設けたネジ孔に締結するだけで、蛇行制御プーリの側面に取り付けることができる。このため、蛇行制御プーリには、ネジ孔等を設ければよいだけなので、既存の蛇行制御プーリに蛇行防止プーリ用ワンウェイクラッチを取り付けることもできる。
【００１７】
第３の発明では、第１又は第２の発明において、
上記ガイド溝において、上記正転許容位置が上記プーリ軸から離れる方向に配置され、上記逆転阻止位置が該プーリ軸に近付く方向に配置されており、
上記逆転阻止位置において、上記逆転阻止部材が上記プーリ軸の外周面と、上記ガイド溝の内周面との間に噛み込まれて上記蛇行防止プーリの逆転を阻止するように構成されている。
【００１８】
上記の構成によると、逆転阻止部材が、プーリ軸の外周とガイド溝の内面との間に噛み込まれて楔のような作用を発揮して蛇行防止プーリが逆転するのを確実に阻止する。
【００１９】
第４の発明では、第３の発明において、
上記逆転阻止部材は、上記蛇行防止プーリが正転するときには該蛇行防止プーリの回転により上記正転許容位置側へ移動し、上記蛇行防止プーリが逆転しようとするときには、上記逆転阻止位置で該蛇行防止プーリの逆転を阻止するように構成されている。
【００２０】
上記の構成によると、蛇行防止プーリが正転しようとするときには、逆転阻止部材が逆転阻止位置ではない正転許容位置に移動し、蛇行防止プーリの回転が行われる。蛇行防止プーリが回転不能な方向に回転しようとするときには、逆転阻止部材が逆転阻止位置にとどまって蛇行防止プーリの回転を確実に阻止する。
【００２１】
第５の発明では、第１から第４のいずれか１つの発明において、
上記逆転阻止部材は、磁性体を備え、
上記ガイドプレート及び上記ガイド溝は、磁性体ではなく、
上記ガイド溝の逆転阻止位置側の端部には、上記逆転阻止部材を逆転阻止位置へ吸引する磁石を収容する磁石収容部が上記ガイド溝に連続するように形成され、該磁石収容部と該ガイド溝との間には、上記磁石が該逆転阻止部材と接触しないように突起が設けられている。
【００２２】
上記の構成によると、磁性体ではないガイドプレート及びガイド溝に影響されずに、磁性体である逆転阻止部材が確実に磁石に引きつけられる。磁石による吸引なので、振動を発生しやすいバネなどで逆転阻止部材を逆転阻止位置に移動させる必要がない。
【００２３】
第６の発明では、第５の発明において、
上記逆転阻止部材は、円板状で、上記ガイド溝内で回転して上記正転許容位置と上記逆転阻止位置との間を移動可能で、正転時には遠心力で上記プーリ軸と非接触となるように構成されている。
【００２４】
上記の構成によると、逆転阻止位置以外では、逆転阻止部材自身が回転しながら遠心力によりプーリ軸と非接触となる位置まで移動してガイド溝に張り付くので蛇行防止プーリの回転を阻害しない。また、正転時には逆転阻止部材はプーリ軸に接触しないので、グリースなどを給油する必要がない。
【００２５】
第７の発明では、第１から第６のいずれか１つの発明において、
上記ガイド溝が、上記カバープレートで挟み込まれた状態でユニット構成可能とするスプリングピンを備えている。
【００２６】
上記の構成によると、ガイド溝をカバープレートで覆ってスプリングピンを用いてユニット構成することで、取付が極めて容易になると共に、既存の蛇行防止プーリへの取り付けも容易となる。
【００２７】
第８の発明では、蛇行防止プーリ用ワンウェイクラッチは、正転において平ベルトの走行位置を自律制御する蛇行制御プーリの側面に取り付けられて該蛇行制御プーリを正方向にのみ回転可能にする構成とする。
【００２８】
第９の蛇行防止プーリは、第１から第８のいずれか１つの発明の蛇行防止プーリ用ワンウェイクラッチを備える。
【００２９】
上記の構成によると、簡単な構成で確実に一方向にのみ回転する蛇行防止プーリが得られる。
【００３０】
第１０の平ベルト伝動システムは、第９の発明の蛇行防止プーリと、
上記プーリ軸と、
上記蛇行防止プーリに掛けられる平ベルトとを備えている。
【００３１】
上記の構成によると、平ベルトの逆方向への駆動が阻止されるので、逆転による平ベルトの脱落が確実に阻止される。
【００３２】
第１１の発明では、第１０の発明において、
上記蛇行防止プーリは、上記平ベルトの蛇行を制御する蛇行制御プーリであり、
上記蛇行制御プーリが、上記平ベルトの逆方向への駆動を阻止するように構成されている。
【００３３】
上記の構成によると、蛇行制御プーリにより、正方向における平ベルトの蛇行が確実に防止されるだけでなく、逆方向への駆動を阻止することにより、平ベルトの脱落がさらに確実に阻止される。
【００３４】
第１２の発明では、第１１の発明において、
回転変動のない送風装置に用いられる。
【００３５】
上記の構成によると、回転変動のない送風装置であれば、エンジンのように脈動がなく、ワンウェイクラッチが確実に機能する。ここで「回転変動のない」とは、回転変動が全くない場合だけでなく、多少の変動があってもよいことを意味する。
【００３６】
第１３の発明では、第１０から第１２のいずれか１つの発明において、
上記平ベルトが所定の張力以上の力で逆方向に駆動されるときには、該平ベルトがスリップするように構成されている。
【００３７】
上記の構成によると、逆回転の回転トルクが大きく、その回転トルクが蛇行防止プーリ用ワンウェイクラッチの回転阻止能力を超える場合でも、平ベルトがスリップすることで、蛇行防止プーリ用ワンウェイクラッチの破壊又は損傷を防ぎながら、平ベルトの脱落を防ぐことができる。
【発明の効果】
【００３８】
以上説明したように、本発明によれば、蛇行防止プーリの側面に取り付けるだけで、蛇行防止プーリを正方向にのみ回転可能にしたことにより、簡単な構造で確実に蛇行防止プーリの逆転を阻止して、ベルトの破損及び脱落を防止することができる。また、省スペースで、部品点数が少なく、軽量な構成の平ベルト伝動システムが得られる。さらに、既存の蛇行防止プーリにも蛇行防止プーリ用ワンウェイクラッチを取り付けることができる。
【図面の簡単な説明】
【００３９】
【図１】カバープレートを省略した、蛇行防止プーリ用ワンウェイクラッチ及びその周辺を示す正面図である。
【図２】蛇行防止プーリ用ワンウェイクラッチが取り付けられた蛇行制御装置を示す斜視図である。
【図３】図１のIII−III線断面図である。
【図４】逆転阻止部材が逆転阻止位置にあるときの図１相当図である。
【図５】ガイド溝、逆転阻止部材及びその周辺を拡大して示す正面図である。
【図６】平ベルト伝動システムを示す正面図である。
【図７Ａ】従来技術にかかる平ベルト伝動システムの正転時における、従動プーリ部分を示す正面図である。
【図７Ｂ】従来技術にかかる平ベルト伝動システムの逆転時における、従動プーリ部分を示す正面図である。
【図８Ａ】従来技術にかかる外付ワンウェイクラッチの正転時を一部拡大して示す正面図である。
【図８Ｂ】従来技術にかかる外付ワンウェイクラッチの逆転時を一部拡大して示す正面図である。
【発明を実施するための形態】
【００４０】
以下、本発明の実施形態を図面に基づいて説明する。
【００４１】
図２は本発明の実施形態の蛇行防止プーリ用ワンウェイクラッチ１０が取り付けられた、プーリとしての蛇行制御プーリ５を有する蛇行制御デバイス４を示す。この蛇行制御デバイス４は、例えば図６に示すような平ベルト伝動システム１に取り付けられる。なお、各図において、正方向を矢印Ｆで示し、逆方向を矢印Ｒで示す。
【００４２】
この平ベルト伝動システム１は、詳しくは図示しないが、例えば送風機の駆動システムとして用いられ、電動モータ等のアクチュエータに駆動される駆動プーリ２と、送風機のファンの回転軸に連結された従動プーリ３と、上記蛇行制御プーリ５に掛けられる平ベルト６とを備えている。この平ベルト伝動システム１は、送風機に限定されず、空調機、コンプレッサーなどにも用いられる。特にエンジンの出力軸に取り付けられるベルト伝動システムと違って回転変動がない、又はほとんどないものを対象とする。平ベルト６は、例えば、厚さ方向中心に心線を備え、この心線が上ゴムと底ゴムとで挟持されているような構造とする。しかし、平ベルト６の種類は特に限定されず、材質等も特に限定されない。
【００４３】
図２に示すように、蛇行制御デバイス４は、送風機などに取り付けられるベース部４ａと、このベース部４ａの一端のアーム支持軸４ｂに揺動可能に支持されるテンションアーム４ｃとを備え、このテンションアーム４ｃに上記蛇行制御プーリ５を回転可能に支持するプーリ軸７が設けられている。図３にも示すように、プーリ軸７の外周には、カラー８が回転一体に嵌め込まれている。このカラー８は、プーリ軸７と一体であってもよい。なお、カラー８には、ダストキャップ８ａが設けられている（図１及び図４では省略）。蛇行制御プーリ５は、ベアリング９を介してカラー８に回転可能に支持されている。テンションアーム４ｃは、ベース部４ａの他端側に設けた引っ張りバネ４ｄにより所定の引っ張り力で付勢されている。この蛇行制御デバイス４により、平ベルト６の走行位置が自律制御され、張力付与が引っ張りバネ４ｄで安定維持されるので、平ベルト６の長寿命化及びメンテナンスフリーを達成できるようになっている。
【００４４】
そして、本発明の特徴として、図１及び図３に示すように、蛇行制御プーリ５が、平ベルトの一方向（逆方向Ｒ）への駆動を阻止するように構成されている。つまり、この蛇行制御プーリ５の側面には、この蛇行制御プーリ５を正方向Ｆにのみ回転可能にする蛇行防止プーリ用ワンウェイクラッチ１０が取り付けられている。この蛇行防止プーリ用ワンウェイクラッチ１０は、蛇行制御プーリ５の側面に取り付けられるガイドプレート１１を備えている。このガイドプレート１１は、非磁性体で構成され、例えばステンレス鋼であるＳＵＳ３０４の円板で構成されている。ガイドプレート１１は剛性が高くて非磁性体であれば、ＳＵＳ３０４に限定されない。このガイドプレート１１は、中央にプーリ軸７を挿通する貫通孔１１ａを有し、例えば、３つのガイド溝１２を備えている。このガイド溝１２には、蛇行制御プーリ５を回転可能に支持するプーリ軸７に対する逆転を阻止する逆転阻止部材１３が収容されている。この逆転阻止部材１３は、例えば、円形鋼板よりなる。なお、ガイド溝１２の個数は、３個より少なくてもよく、４個以上であってもよい。ガイド溝１２は、この逆転阻止部材１３の動きを蛇行制御プーリ５の逆転を阻止する逆転阻止位置Ｂ（図４に示す）と、蛇行制御プーリ５の正転を許容する正転許容位置Ａ（図１に示す）との間にガイドする役割を果たす。円板状の逆転阻止部材１３は、ガイド溝１２内で回転して正転許容位置Ａと逆転阻止位置Ｂとの間を移動可能に構成されている。
【００４５】
ガイド溝１２の一端側は、カラー８の外周面との接点から離れる方向に延び、他端側は、その反対側に延び、その終点には、逆転阻止部材１３を逆転阻止位置Ｂへ吸引する磁石１６が設けられている。この磁石１６の磁力は、蛇行制御プーリ５が正方向Ｆに回転するときには、逆転阻止部材１３の正転許容位置Ａへの移動を阻害しない程度に設定されている。なお、磁石１６による吸引なので、バネなどで逆転阻止部材１３を逆転阻止位置Ｂに引き寄せる必要がない。このため、バネなどを原因とする振動が発生しない。
【００４６】
つまり、逆転阻止部材１３は、図１に示すように、正方向Ｆに蛇行制御プーリ５が回転するときには蛇行制御プーリ５の回転により、逆転阻止部材１３が回転されて正転許容位置Ａ側へ移動し、図４に示すように、逆方向Ｒに蛇行制御プーリ５が回転しようとするときには、逆転阻止位置Ｂにとどまって楔のように作用し、蛇行制御プーリ５の逆転を阻止するように構成されている。
【００４７】
そして、図２及び図３に示すように、ガイド溝１２の外側は、ガイドプレート１１とほぼ同じ外径及び内径の円板状の外側カバープレート１４で覆われている。この外側カバープレート１４も、非磁性体よりなり、例えば、ＳＵＳ３０４よりなる。本実施形態では、ガイドプレート１１は、内側カバープレート１５でも内側を覆われている。この内側カバープレート１５も、非磁性体よりなり、例えば、ＳＵＳ３０４よりなる。例えば、ガイド溝１２をガイドプレート１１を貫通させて設ける場合には、内側カバープレート１５が必要になるが、例えば、削り出しでガイドプレート１１にガイド溝１２の底面を構成する場合には、内側カバープレート１５は不要である。本実施形態では、ガイド溝１２と逆転阻止部材１３とをガイドプレート１１に設け、このガイドプレート１１を、外側カバープレート１４及び内側カバープレート１５で挟み込んで、スプリングピン１７で固定することで、ユニット構成可能となっている。このユニット構成された蛇行防止プーリ用ワンウェイクラッチ１０は、固定用ボルト１８を蛇行制御プーリ５に設けたネジ孔５ａに締結するだけで、蛇行制御プーリ５に取り付けることができる。このため、蛇行制御プーリ５には、ネジ孔５ａを設ければよいだけなので、既存の蛇行制御プーリ５に蛇行防止プーリ用ワンウェイクラッチ１０を取り付けることもできる。
【００４８】
ガイド溝１２において、図５に拡大して示すように、正転許容位置Ａがプーリ軸７から離れる方向に配置され、逆転阻止位置Ｂがプーリ軸７に近付く方向に配置されている。２点鎖線で示す正転許容位置Ａのときのカラー８の外周面とガイド溝１２の内周面との距離をＬ１とする。なお、正転許容位置Ａは、逆転阻止位置Ｂ以外のときであるので、Ｌ１の大きさは変動する。図４に示す逆転阻止位置Ｂにおける、逆転阻止部材１３がプーリ軸７の外周面と、ガイド溝１２の内周面との間の距離Ｌ２は、Ｌ１よりも小さい（Ｌ２＜Ｌ１）。このため、この位置において、逆転阻止部材１３は、プーリ軸７の外周とガイド溝１２の内面との間に噛み込まれて蛇行制御プーリ５の逆転を阻止するように構成されている。
【００４９】
次に、本実施形態に係る蛇行防止プーリ用ワンウェイクラッチ１０の作動について説明する。
【００５０】
まず、図２及び図４に示すように、ベルト伝動システム１が停止しているときなどには、磁石１６の磁力により、逆転阻止部材１３は、逆転阻止位置Ｂにある。このとき、逆転阻止部材１３が、プーリ軸７の外周とガイド溝１２の内面との間に噛み込まれて楔のような作用を発揮して蛇行制御プーリ５が逆転するのを確実に阻止する。すなわち、送風機のファンが風を受けるなどして逆回転しようとするときには、逆転阻止部材１３が逆転阻止位置Ｂにあって蛇行制御プーリ５の逆転を確実に阻止する。なお、本実施形態では、非磁性体のガイドプレート１１、外側カバープレート１４、内側カバープレート１５及びガイド溝１２に影響されずに、磁性体である逆転阻止部材１３が確実に磁石１６に引きつけられる。
【００５１】
一方で、送風装置の作動時など、蛇行制御プーリ５が正転しようとするときには、逆転阻止部材１３が回転して逆転阻止位置Ｂではない正転許容位置Ａに移動する。逆転阻止位置Ｂ以外では、逆転阻止部材１３自身が回転しながら遠心力によりプーリ軸７（カラー８）と非接触となる位置まで移動してガイド溝１２に張り付くため、蛇行制御プーリ５の回転を阻害しない。このため、蛇行制御プーリ５の正転が通常通り行われる。また、正転時には逆転阻止部材１３はプーリ軸７（カラー８）に接触しないので、グリースなどを給油する必要がない。
【００５２】
このように、逆転阻止部材１３がガイド溝１２内で逆転阻止位置Ｂと正転許容位置Ａとの間で移動し、逆転阻止位置Ｂにあるときには蛇行制御プーリ５の逆転を阻止し、正転許容位置Ａにあるときには蛇行制御プーリ５の正転を許容する。
【００５３】
そして、本実施形態では、内部にワンウェイクラッチを埋め込んだりする必要がなく、ガイド溝１２と逆転阻止部材１３とをガイドプレート１１に設け、このガイドプレート１１を、外側カバープレート１４及び内側カバープレート１５で挟み込んで、ボルト等により、蛇行制御プーリ５に取り付ければよいので、取付が極めて容易で構造も簡単である。
【００５４】
また、本実施形態では、蛇行制御プーリ５により、正方向Ｆにおける平ベルト６の蛇行が確実に防止されるだけでなく、逆方向Ｒへの駆動を阻止することにより、平ベルト６の脱落が確実に防止される。
【００５５】
本実施形態のように、回転変動のない送風装置であれば、エンジンのように脈動がなく、蛇行防止プーリ用ワンウェイクラッチ１０が確実に機能する。
【００５６】
したがって、本実施形態に係る蛇行防止プーリ用ワンウェイクラッチ１０によると、ガイドプレート１１のガイド溝１２にプーリ軸７に対する逆転を阻止する逆転阻止部材１３を収容し、蛇行制御プーリ５の逆転を阻止する逆転阻止位置Ｂと、蛇行制御プーリ５の正転を許容する正転許容位置Ａとの間で移動させるようにしたことにより、簡単な構造で確実に蛇行制御プーリ５の逆転を阻止できる。また、簡単な構成で確実に一方向にのみ回転する蛇行制御プーリ５が得られる。さらに、本実施形態では、逆転による平ベルト６の脱落を確実に阻止可能な、省スペースで、部品点数が少なく、軽量な構成の平ベルト伝動システム１が得られる。
【００５７】
（その他の実施形態）
本発明は、上記実施形態について、以下のような構成としてもよい。
【００５８】
すなわち、本発明の蛇行防止プーリ用ワンウェイクラッチ１０は、特に回転変動のない平ベルト伝動システム１に適しているが、多少回転変動がある場合にも適用できる。
【００５９】
また、平ベルト６が所定の張力以上の力で逆方向Ｒに駆動されるときには、平ベルト６がスリップするように構成してもよい。すなわち、逆回転の回転トルクが大きく、その回転トルクが蛇行防止プーリ用ワンウェイクラッチ１０の回転阻止能力を超える場合でも、平ベルト６がスリップすることで、蛇行防止プーリ用ワンウェイクラッチ１０の破壊又は損傷を防ぎながら、平ベルト６の脱落を防ぐことができる。
【００６０】
上記実施形態では、プーリ軸７の外周にカラー８を回転一体に嵌め込み、カラー８に逆転阻止部材１３が当接するようにしているが、カラー８を設けずにプーリ軸７に直接当接するようにしてもよい。
【００６１】
なお、以上の実施形態は、本質的に好ましい例示であって、本発明、その適用物や用途の範囲を制限することを意図するものではない。
【符号の説明】
【００６２】
１      平ベルト伝動システム
２      駆動プーリ
３      従動プーリ
４      蛇行制御デバイス
４ａ    ベース部
４ｂ    アーム支持軸
４ｃ    テンションアーム
４ｄ    引っ張りバネ
５      蛇行制御プーリ（プーリ）
６      平ベルト
７      プーリ軸
８      カラー（プーリ軸）
９      ベアリング
１０      蛇行防止プーリ用ワンウェイクラッチ
１１      ガイドプレート
１２      ガイド溝
１３      逆転阻止部材
１３ａ    鋼球
１４      外側カバープレート
１５      内側カバープレート
１６      磁石
１７      スプリングピン
１８      固定用ボルト
【要約】
プーリを正方向にのみ回転可能にするプーリ用ワンウェイクラッチにおいて、蛇行制御プーリ（５）の側面にプーリ用ワンウェイクラッチ（１０）を取り付ける。具体的には、プーリ用ワンウェイクラッチ（１０）に、蛇行制御プーリ（５）の側面に取り付けられるガイドプレート（１１）を設ける。このガイドプレート（１１）に、蛇行制御プーリ（５）を回転可能に支持するプーリ軸（７）に対する逆転を阻止する逆転阻止部材（１３）と、逆転阻止部材（１３）を収容し、逆転阻止部材（１３）の動きを蛇行制御プーリ（５）の逆転を阻止する逆転阻止位置と、蛇行制御プーリ（５）の正転を許容する正転許容位置との間にガイドするガイド溝（１２）を設ける。【図１】
0006412293.tif 000002
【図２】
0006412293.tif 000003
【図３】
0006412293.tif 000004
【図４】
0006412293.tif 000005
【図５】
0006412293.tif 000006
【図６】
0006412293.tif 000007
【図７Ａ】
0006412293.tif 000008
【図７Ｂ】
0006412293.tif 000009
【図８Ａ】
0006412293.tif 000010
【図８Ｂ】
0006412293.tif 000011